(57)【要約】【課題】コンテンツ開発者がコンテンツの利用環境毎に動作試験を行うことなく、車内利用向けのコンテンツを開発可能とする。【解決手段】コンテンツ配信装置２は、車両ＣＡに搭載される情報端末３において利用されるコンテンツを記憶するコンテンツ記憶部２３と、コンテンツ記憶部２３に記憶されているコンテンツを情報端末３へ配信するコンテンツ配信部２６と、情報端末３においてコンテンツを利用したユーザが送信する、コンテンツを批評するフィードバック情報を受信し、コンテンツの開発者に対して転送するフィードバック制御部２７とを備える。【選択図】図１
2013186863.tif 000002
【特許請求の範囲】
【請求項１】
車両に搭載される情報端末において利用されるコンテンツを記憶するコンテンツ記憶部と、
前記コンテンツ記憶部に記憶されている前記コンテンツを前記情報端末へ配信するコンテンツ配信部と、
前記情報端末において前記コンテンツを利用したユーザが送信する、前記コンテンツを批評するフィードバック情報を受信し、前記コンテンツの開発者に対して転送するフィードバック制御部と、
を備えることを特徴とするコンテンツ配信装置。
【請求項２】
前記フィードバック情報を、当該フィードバック情報の対象となる前記コンテンツの開発者を識別する識別記号に関連づけて記憶するフィードバック情報記憶部を更に備え、
前記フィードバック制御部は、前記フィードバック情報記憶部から、前記コンテンツの開発者を識別する識別記号に関連づけられた前記フィードバック情報を選出し、選出された前記フィードバック情報を前記コンテンツの開発者へ転送する
ことを特徴とする請求項１に記載のコンテンツ配信装置。
【請求項３】
前記フィードバック情報記憶部は、前記フィードバック情報を、更に、当該フィードバック情報の対象となる前記コンテンツを識別する識別記号、及び前記情報端末のバージョン情報或いは前記情報端末にインストールされているソフトウェアのバージョン情報に関連づけて記憶することを特徴とする請求項２に記載のコンテンツ配信装置。
【請求項４】
前記フィードバック情報記憶部は、前記フィードバック情報を、更に、前記情報端末の操作履歴及び前記情報端末の利用設定に関連づけて記憶することを特徴とする請求項３に記載のコンテンツ配信装置。
【請求項５】
前記コンテンツ記憶部は、前記コンテンツを、当該コンテンツの開発者を識別する識別記号に関連づけて記憶し、
前記コンテンツ配信部は、前記ユーザの要求に応じて、前記コンテンツ記憶部に記憶されている前記コンテンツを前記情報端末へ配信する
ことを特徴とする請求項１〜４のいずれか一項に記載のコンテンツ配信装置。
【請求項６】
前記コンテンツ記憶部は、前記コンテンツを、当該コンテンツを識別する識別記号及び当該コンテンツの開発者を識別する識別記号に関連づけて記憶していることを特徴とする請求項１〜４のいずれか一項に記載のコンテンツ配信装置。
【請求項７】
車両に搭載される情報端末において利用されるコンテンツを配信するコンテンツ配信装置を用いたコンテンツ開発者支援方法であって、
コンテンツ配信装置が備えるコンテンツ記憶部に、前記コンテンツを記憶し、
前記コンテンツ記憶部に記憶されている前記コンテンツを前記情報端末へ配信し、
前記情報端末において前記コンテンツを利用したユーザが送信する、前記コンテンツを批評するフィードバック情報を受信し、
前記コンテンツの開発者に対して転送する
ことを特徴とするコンテンツ開発者支援方法。
【発明の詳細な説明】
【技術分野】
【０００１】
本発明は、コンテンツ配信装置及びコンテンツ開発者支援方法に関する。
【背景技術】
【０００２】
コンテンツの登録や利用を図るためのコンテンツ登録装置及びコンテンツ登録方法が提案されている（特許文献１参照）。特許文献１のコンテンツ登録装置は、予め登録することにより、クリエータであれば誰でも自己のコンテンツを他者に利用可能に掲載できるようにして、複数のクリエータの作品を一カ所で提供して、コンテンツの登録や利用を促進している。特許文献１の段落0015には、コンテンツに対する評価をコンテンツの作成者に対してフィードバックし、コンテンツの品質向上等を図ることが記載されている。
【先行技術文献】
【特許文献】
【０００３】
【特許文献１】特開２００２−１２３５３３号公報
【発明の概要】
【発明が解決しようとする課題】
【０００４】
しかしながら、特許文献１のコンテンツ登録装置を、車両に搭載される情報端末（車載情報端末）において利用されるコンテンツ（車内利用向けコンテンツ）の配信システムとして適用した場合を考える。この場合、車内利用向けコンテンツは運転操作に支障をきたさないよう、例えば音声による情報の提供が行われる。しかし、第三者のコンテンツ開発者が開発した音声合成用テキストをそのまま登録して配信すると、車載情報端末によっては開発者が意図したとおりの読み上げを行えなかったり、車載情報端末の種類によって読み上げ結果に差が生じたりするおそれがある。パソコン向けのコンテンツの開発等と違って、車内利用向けコンテンツの開発では、コンテンツの開発環境やテスト用実機が不足している。このため、総ての車載情報端末についてコンテンツのテストを行うことは現実的ではない。これにより、車内利用向けコンテンツの開発者の開発業務に支障をきたしてしまうという課題がある。
【０００５】
本発明は上記課題に鑑みて成されたものであり、その目的は、コンテンツ開発者がコンテンツの利用環境毎に動作試験を行うことなく、車内利用向けのコンテンツを開発することが可能となるコンテンツ配信装置及びコンテンツ開発者支援方法を提供することである。
【課題を解決するための手段】
【０００６】
上記した目的を達成するために、本発明は、コンテンツ配信装置及びコンテンツ開発者支援方法として実施することができる。このコンテンツ配信装置及びコンテンツ開発者支援方法では、車両に搭載される情報端末において利用されるコンテンツを記憶し、記憶しているコンテンツを上記した情報端末へ配信する。そして、情報端末においてコンテンツを利用したユーザが送信する、コンテンツを批評するフィードバック情報を受信して、このフィードバック情報をコンテンツの開発者に対して転送する。
【発明の効果】
【０００７】
本発明のコンテンツ配信装置及びコンテンツ開発者支援方法によれば、コンテンツ開発者がコンテンツの利用環境毎に動作試験を行うことなく、車内利用向けのコンテンツを開発することが可能となる。
【図面の簡単な説明】
【０００８】
【図１】図１は、本発明の実施の形態に係わるコンテンツ配信装置２の構成を示すブロック図である。
【図２】図２は、図１の車載情報端末３の構成を示すブロック図である。
【図３】図３は、コンテンツ配信装置２を用いたコンテンツ開発者支援方法のうち、車載情報端末３からフィードバック情報を受け付けて記憶する手順の一例を示すフローチャートである。
【図４】図４は、コンテンツ配信装置２を用いたコンテンツ開発者支援方法のうち、コンテンツ開発者からフィードバック情報の参照要求を受け付けてフィードバック情報を送信する手順の一例を示すフローチャートである。
【発明を実施するための形態】
【０００９】
以下図面を参照して、本発明の実施形態を説明する。図面の記載において同一部分には同一符号を付している。
【００１０】
図１を参照して、本発明の実施の形態に係わるコンテンツ配信装置２の構成を説明する。コンテンツ配信装置２は、車両ＣＡに搭載される情報端末（以後、「車載情報端末」という）３において利用されるコンテンツ（以後、「車内利用向けコンテンツ」という）を記憶するコンテンツ記憶部２３と、予め定めた演算処理を実行する演算処理部２２と、複数の車両ＣＡ及び車内利用向けコンテンツの開発者（以後、「コンテンツ開発者」という）が使用する情報端末（以後、「開発者端末１」という）の各々との間でデータ通信を行う送受信制御部２１と、車載情報端末３のユーザを識別する識別記号及びコンテンツ開発者を識別する識別記号を記憶するユーザデータ開発者データ記憶部２４とを備える。
【００１１】
コンテンツ記憶部２３は、車内利用向けコンテンツを、当該車内利用向けコンテンツの開発者を識別する識別記号、及び当該車内利用向けコンテンツを識別する識別記号に関連づけて記憶する。
【００１２】
ユーザデータ開発者データ記憶部２４は、車載情報端末３のユーザに関する情報を、車載情報端末３のユーザを識別する識別記号に関連づけて記憶する。ユーザデータ開発者データ記憶部２４は、コンテンツ開発者に関する情報を、コンテンツ開発者を識別する識別記号に関連づけて記憶する。
【００１３】
演算処理部２２は、コンテンツ記憶部２３に記憶されている車内利用向けコンテンツを車載情報端末３へ配信するコンテンツ配信部２６として動作する。また、演算処理部２２は、車載情報端末３において車内利用向けコンテンツを利用したユーザが送信する、車内利用向けコンテンツを批評するフィードバック情報を受信し、車内利用向けコンテンツの開発者に対して転送するフィードバック制御部２７として動作する。
【００１４】
演算処理部２２は、マイクロコンピュータ、マイクロプロセッサ、ＣＰＵを含む汎用の電子回路を用いて特定のプログラムを実行することにより上記したコンテンツ配信部２６及びフィードバック制御部２７として動作する。なお、演算処理部２２は、専用の電子回路からなるハードウェアとしても実現可能である。
【００１５】
送受信制御部２１は、演算処理部２２による制御の下で、開発者端末１から車内利用向けコンテンツを受信し、コンテンツ記憶部２３に記憶されている車内利用向けコンテンツを車載情報端末３へ配信する処理、フィードバック情報を開発者端末１へ転送する処理を制御する。
【００１６】
コンテンツ配信装置２は、フィードバック情報を記憶するフィードバック情報記憶部２５を更に備えていてもよい。フィードバック情報記憶部２５は、フィードバック情報を、当該フィードバック情報の対象となる車内利用向けコンテンツの開発者を識別する識別記号に関連づけて記憶する。この場合、フィードバック制御部２７は、フィードバック情報記憶部２５から、コンテンツ開発者を識別する識別記号に関連づけられたフィードバック情報を選出し、選出されたフィードバック情報を開発者端末１へ転送する。
【００１７】
フィードバック情報記憶部２５は、フィードバック情報を、更に、当該フィードバック情報の対象となる車内利用向けコンテンツを識別する識別記号、及び車載情報端末３のバージョン情報或いは車載情報端末３にインストールされているソフトウェアのバージョン情報に関連づけて記憶してもよい。或いは、フィードバック情報記憶部２５は、フィードバック情報を、更に、車載情報端末３の操作履歴及び車載情報端末３の利用設定に関連づけて記憶しても構わない。
【００１８】
車両ＣＡは、送受信制御部２１により送信された車内利用向けコンテンツを受信し、車内利用向けコンテンツを批評するフィードバック情報を送信する車載情報端末３を備える。車載情報端末３の構成は図２を参照して後述する。
【００１９】
開発者端末１は、パソコン、スマートフォン、携帯電話を含む、インターネットに接続してコンテンツ配信装置２にアクセス可能な情報処理端末である。開発者端末１は、コンテンツ開発者による操作により、車内利用向けコンテンツを、コンテンツ開発者を識別する識別記号、及び当該車内利用向けコンテンツを識別する識別記号に関連づけてコンテンツ配信装置２に送信することができる。
【００２０】
コンテンツ配信装置２は、車内利用向けコンテンツを受信して、コンテンツ記憶部２３に記憶する。そして、車載情報端末３からの車内利用向けコンテンツの配信要求に応じて、車内利用向けコンテンツを車載情報端末３へ配信する。
【００２１】
図２を参照して、図１の車載情報端末３の構成を説明する。車載情報端末３は、画像を表示する表示装置３１と、車内で発せられる音声を音声データへ変換するマイク３３と、音声を出力するスピーカ３４と、車載情報端末３全体を制御する制御装置３２とを備える。
【００２２】
表示装置３１は、人間の指やペンなどが触れた表示画面の位置の情報を感知して外部へ情報信号として出力するタッチパネルである。表示装置３１の表示画面に、ソフトウェアキーボード３５を表示して、ソフトウェアキーボード３５を介した文字入力が可能である。また、表示装置３１の表示画面に、二次元コード３６を表示することもできる。また、制御装置３２は、スピーカ３４から出力される音声データを作成する音声合成部３７と、マイク３３により変換された音声データからテキストデータを生成する音声認識手段とを有する。
【００２３】
音声合成部３７は、車載情報端末３にダウンロードした車内利用向けコンテンツに含まれるテキストデータを音声データに変換する。変換された音声データは、スピーカ３４から出力される音声として車載情報端末３のユーザに伝達される。これにより、車載情報端末３のユーザが車両を運転している時でも、車内利用向けコンテンツを安全に利用することができる。
【００２４】
次に、図１に示したコンテンツ配信装置２を用いたコンテンツ開発者支援方法を説明する。図３を参照して、コンテンツ開発者支援方法のうち、車載情報端末３からフィードバック情報を受け付けて記憶するまでの手順の一例を説明する。
【００２５】
コンテンツ配信装置２が起動すると同時に、先ず、ステップＳ０１において、コンテンツ配信装置２は、車載情報端末３において車内利用向けコンテンツを利用したユーザが送信する、車内利用向けコンテンツを批評するフィードバック情報の待ち受け状態となる。
【００２６】
フィードバック情報を受信すると（Ｓ０１でＹＥＳ）、演算処理部２２は、フィードバック情報を処理するための所定のコンピュータプログラムを起動させる。所定のコンピュータプログラムが起動すると、ステップＳ０２において、フィードバック制御部２７は、フィードバック情報の中から、当該フィードバック情報の送信元である車載情報端末３を識別する識別記号を取り出し、フィードバック情報に対して、車載情報端末３を識別する識別記号を関連づける。
【００２７】
ステップＳ０３において、フィードバック制御部２７は、フィードバック情報に対して、更に、当該フィードバック情報の対象となる車内利用向けコンテンツの開発者を識別する識別記号、当該フィードバック情報の対象となる車内利用向けコンテンツを識別する識別記号、及び車載情報端末３のバージョン情報或いは車載情報端末３にインストールされているソフトウェアのバージョン情報を関連づける。
【００２８】
ステップＳ０４において、フィードバック制御部２７は、フィードバック情報に対して、更に、車載情報端末３の操作履歴及び車載情報端末３の利用設定を含む車載情報端末３に固有な情報を関連づける。
【００２９】
ステップＳ０５において、フィードバック制御部２７は、上記したステップ０２〜０４の処理により関連づけされ、正規化されたフィードバック情報を、フィードバック情報記憶部２５に記憶する。そして、ステップＳ０１に戻って、再び、フィードバック情報の待ち受け状態となる。コンテンツ配信装置２が起動している間、上記した手順を繰り返し実施する。
【００３０】
次に、図４を参照して、コンテンツ開発者支援方法のうち、コンテンツ開発者からフィードバック情報の参照要求を受け付けてフィードバック情報を送信する手順の一例を説明する。
【００３１】
車載情報端末３のユーザからフィードバック情報を受け付けてフィードバック情報記憶部２５に記憶する（図３のＳ０５）と、コンテンツ配信装置２は、ステップＳ１１において、コンテンツ開発者が開発者端末１を用いて送信する、フィードバック情報を参照することを要求する信号の待ち受け状態となる（ステップＳ１１）。ここで、フィードバック情報を参照することを要求する信号には、コンテンツ開発者を識別する識別記号、および参照要求する車内利用向けコンテンツを識別する識別記号が含まれる。
【００３２】
フィードバック情報の参照要求を受信すると（Ｓ１１でＹＥＳ）、フィードバック制御部２７は、フィードバック情報記憶部２５に記憶されているフィードバック情報を参照する（ステップＳ１２）。そして、フィードバック制御部２７は、フィードバック情報記憶部２５から、コンテンツ開発者を識別する識別記号に関連づけられたフィードバック情報を選出する。
【００３３】
なお、フィードバック情報を参照することを要求する信号に、コンテンツ開発者を識別する識別記号のみならず、参照要求する車内利用向けコンテンツを識別する識別記号が含まれている場合、フィードバック制御部２７は、フィードバック情報記憶部２５から、コンテンツ開発者を識別する識別記号及び参照要求する車内利用向けコンテンツを識別する識別記号に関連づけられたフィードバック情報を選出する。
【００３４】
ステップＳ１３において、フィードバック制御部２７は、選出されたフィードバック情報を、例えばＸＭＬ形式或いはジャバ・スクリプト・オブジェクト・ノーテーション（ＪＳＯＮ）形式に変換した上で、フィードバック情報の参照要求の送信元である開発者端末１へ転送する。つまり、ステップＳ１３において、フィードバック制御部２７は、フィードバック情報の参照要求に対する回答を返信する。
【００３５】
図３及び図４を参照して説明した処理を行うことにより、コンテンツ配信装置２は、車内利用向けコンテンツを利用したユーザからフィードバック情報を受け取り、フィードバック情報を管理し、コンテンツ開発者からの要求に応じて、コンテンツ開発者により開発された車内利用向けコンテンツをコンテンツ開発者に提供することができる。
【００３６】
次に、図２の車載情報端末３を用いて、車内利用向けコンテンツを利用したユーザがフィードバック情報を入力し、コンテンツ配信装置２へ送信する第１乃至第３の方法を説明する。ただし、第１乃至第３の方法は例であり、これらに限定されるものではない。
【００３７】
先ず、第１の方法では、表示装置３１の表示画面にテキストボックス及びソフトウェアキーボード３５等のテキスト入力手段を表示させ、フィードバック情報をテキストで入力する。
【００３８】
第２の方法では、先ず、二次元コード３６を表示装置３１の表示画面に表示させ、車内に持ち込んでいる、携帯電話を含むインターネットに接続可能な情報端末が備えるカメラを用いて二次元コード３６を情報端末に読み込ませる。そして、情報端末を用いて、二次元コード３６からデコードされたアドレス（ＵＲＬ）により特定されるフィードバック用ホームページにアクセスし、フィードバック情報を入力し、コンテンツ配信装置２へ送信する。
【００３９】
第３の方法では、車載情報端末３が備えるマイク３３を用いて、車載情報端末３のユーザが発する音声を入力し、音声認識処理により生成されたテキストデータをフィードバック情報としてコンテンツ配信装置２へ送信する。第３の方法によれば、車両ＣＡのドライバーは安全にフィードバック情報を入力することができる。
【００４０】
以上説明したように、本発明の実施形態によれば、以下の作用効果が得られる。
【００４１】
フィードバック制御部２７は、車載情報端末３において車内利用向けコンテンツを利用したユーザが送信する、車内利用向けコンテンツを批評するフィードバック情報を受信し、コンテンツ開発者に対して転送する。これにより、コンテンツ開発者は、自らが開発した車内利用向けコンテンツに対して、実際にその車内利用向けコンテンツを利用したユーザによるフィードバック情報を受け取ることが可能になる。そして、受け取ったフィードバック情報を基にして、既に提供している車内利用向けコンテンツを修正することができるので、コンテンツ開発者は質の高い車内利用向けコンテンツを提供することができるようになる。
【００４２】
また、実際にその車内利用向けコンテンツを利用したユーザによるフィードバック情報をコンテンツ開発に活用することにより、総ての車載情報端末について車内利用向けコンテンツの動作試験を行う必要がなくなる。このため、車内利用向けコンテンツを開発するコンテンツ開発者の負担を軽減させることが可能になる。よって、コンテンツ開発者がコンテンツの利用環境毎に動作試験を行うことなく、車内利用向けのコンテンツを開発することが可能となる。
【００４３】
フィードバック情報記憶部２５は、フィードバック情報を、当該フィードバック情報の対象となる車内利用向けコンテンツの開発者を識別する識別記号に関連づけて記憶する。そして、フィードバック制御部２７は、フィードバック情報記憶部２５から、コンテンツ開発者を識別する識別記号に関連づけられたフィードバック情報を選出し、選出されたフィードバック情報をコンテンツ開発者へ転送する。このように、フィードバック情報をコンテンツ開発者に関連づけて管理することにより、コンテンツ開発者毎にユーザの批評をフィードバックすることができる。
【００４４】
フィードバック情報記憶部２５は、フィードバック情報を、更に、当該フィードバック情報の対象となるコンテンツを識別する識別記号、及び車載情報端末３のバージョン情報或いは車載情報端末３にインストールされているソフトウェアのバージョン情報に関連づけて記憶する。これにより、コンテンツ開発者は、転送されるフィードバック情報がどの車内利用向けコンテンツに係わるものなのか、及びどのようなコンテンツの利用環境なのかを知ることできる。よって、車内利用向けコンテンツの利用環境毎に動作試験を行うことなく、車内利用向けコンテンツを開発することが可能となる。
【００４５】
フィードバック情報記憶部２５は、フィードバック情報を、更に、車載情報端末３の操作履歴及び車載情報端末３の利用設定に関連づけて記憶する。これにより、コンテンツ開発者は、転送されるフィードバック情報がどのような車載情報端末３の操作履歴におけるものなのか、及びどのような車載情報端末３の利用設定におけるものなのかを知ることできる。よって、車内利用向けコンテンツの利用環境毎に動作試験を行うことなく、車内利用向けコンテンツを開発することが可能となる。
【００４６】
コンテンツ記憶部２３は、車内利用向けコンテンツを、当該車内利用向けコンテンツの開発者を識別する識別記号に関連づけて記憶する。そして、コンテンツ配信部２６は、車載情報端末３のユーザの要求に応じて、コンテンツ記憶部２３に記憶されている車内利用向けコンテンツを車載情報端末３へ配信する。このように、車内利用向けコンテンツを当該車内利用向けコンテンツの開発者に関連づけて管理することにより、車内利用向けコンテンツをコンテンツ開発者の情報と共に車載情報端末３のユーザに配信することができる。
【００４７】
コンテンツ記憶部２３は、車内利用向けコンテンツを、当該車内利用向けコンテンツを識別する識別記号及び車内利用向けコンテンツの開発者を識別する識別記号に関連づけて記憶している。これにより、コンテンツ配信装置２は、車内利用向けコンテンツをその識別記号或いはその開発者の識別記号で管理することができる。
【００４８】
車載情報端末３において利用される車内利用向けコンテンツを配信するコンテンツ配信装置２を用いたコンテンツ開発者支援方法において、コンテンツ配信装置２が備えるコンテンツ記憶部２３に、車内利用向けコンテンツを記憶し、コンテンツ記憶部２３に記憶されている車内利用向けコンテンツを車載情報端末３へ配信し、車載情報端末３において車内利用向けコンテンツを利用したユーザが送信する、車内利用向けコンテンツを批評するフィードバック情報を受信し、コンテンツ開発者に対して転送する。これにより、コンテンツ開発者がコンテンツの利用環境毎に動作試験を行うことなく、車内利用向けのコンテンツを開発することが可能となる。
【００４９】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【００５０】
ＣＡ…車両
１…開発者端末
２…コンテンツ配信装置
３…車載情報端末（情報端末）
２３…コンテンツ記憶部
２５…フィードバック情報記憶部
２６…コンテンツ配信部
２７…フィードバック制御部
【図１】
2013186863.tif 000003
【図２】
2013186863.tif 000004
【図３】
2013186863.tif 000005
【図４】
2013186863.tif 000006